(57)【要約】【課題】表示部に生じる影が視認されるのを抑制可能な表示装置を提供する。【解決手段】この液晶テレビジョン装置１００は、表示部１と、表示部の背面側に配置されるＬＥＤ７と、表示部１とＬＥＤ７との間に配置される拡散板１１と、拡散板１１を拡散板１１の背面側から支持するパネルポスト１３と、ＬＥＤ７からパネルポスト１３までの直接光の光路に配置され、パネルポスト１３への直接光を遮る光制御部材１４とを備える。【選択図】図３
2015203724.tif 000002
【特許請求の範囲】
【請求項１】
表示部と、
前記表示部の背面側に配置される光源と、
前記表示部と前記光源との間に配置される光学シートと、
前記光学シートを前記光学シートの背面側から支持する支持部材と、
前記光源から前記支持部材までの直接光の光路に配置され、
前記支持部材への前記直接光を遮る光制御部材とを備える、表示装置。
【請求項２】
前記光制御部材は、遮光、拡散、屈折、回折、透過のうちの少なくとも１つの性質を持つことによって、前記支持部材への前記直接光を遮るように配置されている、請求項１に記載の表示装置。
【請求項３】
前記光制御部材は、前記光源から見たときの前記支持部材の外周と、前記光源とを結ぶ領域を遮るように配置されている、請求項１または２に記載の表示装置。
【請求項４】
前記光制御部材は、前記光源に対向する全ての前記支持部材に対して配置されている、請求項１〜３のいずれか１項に記載の表示装置。
【請求項５】
前記光制御部材は、前記光制御部材と前記光源との距離をｘ、前記光制御部材と前記支持部材との距離をｙとした場合、ｘ＜ｙの関係を充たす位置に配置されている、請求項１〜４のいずれか１項に記載の表示装置。
【発明の詳細な説明】
【技術分野】
【０００１】
この発明は、表示装置に関し、特に、支持部材を備えた表示装置に関する。
【背景技術】
【０００２】
従来、支持部材を備えた表示装置が知られている（たとえば、特許文献１参照）。
【０００３】
上記特許文献１には、支持ピン（支持部材）を備えた表示装置が開示されている。この表示装置は、表示部と、柱形状に形成されているとともに光学部材（光学シート）を支えるように構成されている支持ピンと、表示装置内に並べて配置され、光学部材に光を照射する複数の光源とを備える。
【先行技術文献】
【特許文献】
【０００４】
【特許文献１】国際公開第２０１１−０１０４８７号
【発明の概要】
【発明が解決しようとする課題】
【０００５】
しかしながら、上記特許文献１の表示装置では、光源から発せられた光が、支持部材に照射され、支持部材によって光が遮られることにより、遮られた光の経路の延長線上における表示部および光学シート上に影が生じて、影が視認される場合があるという問題点があると考えられる。
【０００６】
この発明は、上記のような課題を解決するためになされたものであり、この発明の１つの目的は、表示部に生じる影が視認されるのを抑制可能な表示装置を提供することである。
【課題を解決するための手段】
【０００７】
上記目的を達成するために、この発明の一の局面による表示装置では、表示部と、表示部の背面側に配置される光源と、表示部と光源との間に配置される光学シートと、光学シートを光学シートの背面側から支持する支持部材と、光源から支持部材までの直接光の光路に配置され、支持部材への直接光を遮る光制御部材とを備える。
【０００８】
この発明の一の局面による表示装置は、上記のように、光制御部材を、光源から支持部材までの直接光の光路に配置して、支持部材への直接光を遮ることによって、光源から支持部材への直接光の量が光制御部材により減少されるので、光源から支持部材への直接光の量が減少される分、支持部材に遮られた光路の延長線上における表示部および光学シート上に生じる影が薄くなる。その結果、表示部に生じる影が視認されるのを抑制することができる。これにより、支持部材をいずれの位置に配置しても、表示部に生じる影が視認されるのを抑制することができるので、支持部材の配置の自由度を高めることができる。
【０００９】
上記一の局面による表示装置において、好ましくは、光制御部材は、遮光、拡散、屈折、回折、透過のうちの少なくとも１つの性質を持つことによって、支持部材への直接光を遮るように配置されている。このように構成すれば、容易に、光源から支持部材への直接光の量を減少させるように構成することができる。
【００１０】
上記一の局面による表示装置において、好ましくは、光制御部材は、光源から見たときの支持部材の外周と、光源とを結ぶ領域を遮るように配置されている。このように構成すれば、光制御部材が光源から見たときの支持部材の外周と、光源とを結ぶ領域の内部に配置される場合に比べて、光源から支持部材の対向面への直接光の量がより減少されるので、表示部および光学シート上での影を、より薄くすることができる。その結果、表示部に生じる影が視認されるのを、より抑制することができる。
【００１１】
上記一の局面による表示装置において、好ましくは、光制御部材は、光源に対向する全ての支持部材に対して配置されている。このように構成すれば、全ての支持部材に対して、光源からの直接光に起因する表示部および光学シート上での影を薄くすることができる。その結果、表示部全体において、影が視認されるのを抑制することができる。
【００１２】
上記一の局面による表示装置において、好ましくは、光制御部材は、光制御部材と光源との距離をｘ、光制御部材と支持部材との距離をｙとした場合、ｘ＜ｙの関係を充たす位置に配置されている。このように構成すれば、光制御部材がｘ≧ｙの関係を充たす位置に配置されている場合に比べて、光制御部材から光学シートまでの距離が大きくなる。そして、光制御部材から光学シートまでの距離が大きくなる分、他の光（たとえば、他の光源からの光）が光制御部材の影が生じる側に回り込むので、光が光制御部材に照射されることによって生じる影をさらに薄くすることができる。また、光源から支持部材への直接光は、光源から広がるように発せられるので、光制御部材が光源よりも支持部材に近い位置に配置されている場合に比べて、光制御部材と光源との距離が小さい分、光制御部材の大きさが大きくなるのを抑制することができる。
【発明の効果】
【００１３】
本発明によれば、上記のように、表示部に生じる影が視認されるのを抑制することができる。
【図面の簡単な説明】
【００１４】
【図１】本発明の第１実施形態による液晶テレビジョン装置の全体構成を示した斜視図である。
【図２】本発明の第１実施形態による液晶テレビジョン装置の全体の構成を示した背面図である。
【図３】図２における２００−２００線に沿った断面図である。
【図４】本発明の第１実施形態による液晶テレビジョン装置の分解斜視図である。
【図５】本発明の第１実施形態による反射シートの平面図である。
【図６】本発明の第１実施形態による反射シートの符号Ａの部分の拡大図である。
【図７】本発明の第２実施形態による液晶テレビジョン装置の断面図である。
【図８】本発明の第２実施形態による光制御部材の正面図である。
【図９】本発明の第３実施形態による液晶テレビジョン装置の断面図である。
【図１０】本発明の第１実施形態の変形例による反射シートの平面図である。
【図１１】図１０における３００−３００線に沿った断面図である。
【発明を実施するための形態】
【００１５】
以下、本発明の実施形態を図面に基づいて説明する。
【００１６】
（第１実施形態）
まず、図１〜図６を参照して、本発明の第１実施形態による液晶テレビジョン装置１００の構成について説明する。なお、液晶テレビジョン装置１００は、本発明の「表示装置」の一例である。
【００１７】
図１および図２に示すように、液晶テレビジョン装置１００は、映像が表示される液晶セルからなる表示部１と、表示部１を正面側（矢印Ｙ１方向側）から支持する樹脂製の前部筐体２と、液晶テレビジョン装置１００を下方（矢印Ｚ２方向側）から支持する樹脂製のスタンド部材３とを備える。具体的には、前部筐体２は、正面視において（矢印Ｙ１方向側から見て）、矩形状の外形を有する枠状に形成されている。前部筐体２の中央部近傍には、表示部１を正面側に露出させるための矩形状の開口部２ａが設けられている。また、図３に示すように、前部筐体２は、前方（矢印Ｙ１方向）に窪む凹形状に形成されている。
【００１８】
また、図３に示すように、液晶テレビジョン装置１００は、前部筐体２と背面側（矢印Ｙ２方向側）から組み合わされる金属製のリアフレーム４を備える。また、このリアフレーム４は、前部筐体２の背面側に嵌り込む矩形状の縁部４ａを有する。また、リアフレーム４は、後方（矢印Ｙ２方向）に窪む凹形状に形成されている。なお、リアフレーム４は、ネジ部材（図示せず）によって前部筐体２に固定されている。また、リアフレーム４の背面側には、リアフレーム４よりも小さい矩形状を有する樹脂製のカバー部材５が配置されている。カバー部材５は、リアフレーム４の背面に配置される電源基板や信号処理基板などの種々の基板（図示せず）を覆うように設けられている。また、カバー部材５は、ネジ部材（図示せず）によってリアフレーム４に固定されている。これらのリアフレーム４およびカバー部材５によって、前部筐体２に対応する後部筐体が構成されている。
【００１９】
図４に示すように、リアフレーム４の表面（矢印Ｙ１方向側の面）には、板金製のヒートシンク６が配置されている。また、ヒートシンク６の表面には、表示部１に背面側（矢印Ｙ２方向側）から光を照射するＬＥＤ（Ｌｉｇｈｔ  Ｅｍｉｔｔｉｎｇ  Ｄｉｏｄｅ）７が実装された基板８が配置されている。なお、ＬＥＤ７は、本発明の「光源」の一例である。
【００２０】
また、図４に示すように、ＬＥＤ７は、基板８の表面に、基板８の延びる方向（Ｘ方向）に沿って間隔を隔てて複数実装されている。そして、図３に示すように、基板８のＬＥＤ７が実装された表面（矢印Ｙ１方向側の面）に、ＬＥＤ７をそれぞれ覆う光源レンズ９が取り付けられている。この光源レンズ９は、アクリルなどの樹脂により構成されており、ＬＥＤ７からの出射光の出射角度を広げるように構成されている。また、光源レンズ９には、光源レンズ９の底面から基板８側に延びる柱状のボス９ａが設けられている。このボス９ａが基板８の表面に接着されることにより、基板８の表面のＬＥＤ７に対応する位置に光源レンズ９が取り付けられる。なお、光源レンズ９は、本発明の「光源」の一例である。
【００２１】
図４に示すように、光源レンズ９の正面側（矢印Ｙ１方向側）から、ＬＥＤ７から発せられる光を表示部１側に反射する樹脂製（たとえば、ＰＥＴ（Ｐｏｌｙｅｔｈｙｌｅｎｅｔｅｒｅｐｈｔａｌａｔｅ）など）の反射シート１０が基板８に配置されている。この反射シート１０は、基板８の表面上に配置された状態で、リアフレーム４に沿った形状（矢印Ｙ２方向側に窪む凹形状）を有する。具体的には、反射シート１０は、左右方向（Ｘ方向）に延びる長方形形状を有する反射シート底面部１０ａと、反射シート底面部１０ａの４辺を取り囲むように配置される４つの反射シート斜面部１０ｂとを含む。なお、図３に示すように、反射シート底面部１０ａは、拡散板１１および偏光フィルタ１２に対して平行に延びるように形成されている。また、反射シート斜面部１０ｂは、反射シート底面部１０ａの端部からリアフレーム４の縁部４ａに向かって傾斜して延びるように形成されている。なお、拡散板１１および偏光フィルタ１２は、本発明の「光学シート」の一例である。
【００２２】
また、図４に示すように、拡散板１１は、Ｚ方向およびＸ方向に延びる平板状に形成されている。拡散板１１と表示部１との間には、拡散板１１を透過した光の偏光方向を揃えて表示部１へ出射する偏光フィルタ１２が配置されている。偏光フィルタ１２は、Ｚ方向およびＸ方向に延びるように形成されており、拡散板１１と同様の平板状に形成されている。
【００２３】
そして、図５に示すように、反射シート１０の反射シート底面部１０ａには、複数のＬＥＤ７（光源レンズ９）のそれぞれの配置位置に対応する位置に光源用開口部１０ｃが左右方向（Ｘ方向）に間隔を隔てて一直線上に設けられている。そして、反射シート斜面部１０ｂには、拡散板１１および偏光フィルタ１２を支持するためのパネルポスト１３を貫通させることが可能に形成されたパネルポスト用開口部１０ｄが設けられている。また、光源用開口部１０ｃには、後述する光制御部材１４および１４ａが設けられている。そして、光制御部材１４は、ＬＥＤ７に対向する全てのパネルポスト１３に対して配置されている。なお、パネルポスト１３は、本発明の「支持部材」の一例である。
【００２４】
また、図３および図４に示すように、パネルポスト１３は、樹脂等により構成されている。そして、リアフレーム４の表面（矢印Ｙ１方向側の面）には、パネルポスト１３の固定部１３ａを嵌めることが可能に形成された複数のパネルポスト固定用開口部４ｂが設けられている。そして、パネルポスト１３の固定部１３ａは、一対の引っ掛かり部が設けられており、パネルポスト固定用開口部４ｂに一旦嵌められると抜けにくくなるように形成されている。これにより、パネルポスト１３がリアフレーム４に固定される。
【００２５】
また、図３に示すように、パネルポスト１３は、拡散板１１と接触する接触部１３ｂ（パネルポスト１３の先端部分）を有し、接触部１３ｂを介して、拡散板１１を、拡散板１１の背面側（矢印Ｙ２側）から支持するように構成されている。また、パネルポスト１３は、側面方向（矢印Ｘ１方向）から見て、三角柱形状を有するように形成されているとともに、拡散板１１に向かって先細り形状に形成されている。また、パネルポスト１３は前面側（矢印Ｙ１側）から見て、長方形形状を有するように形成されている。なお、接触部１３ｂは、本発明の「支持部材の外周」の一例である。
【００２６】
ここで、第１実施形態では、図５および図６に示すように、光制御部材１４は、円形形状に形成された光源用開口部１０ｃのパネルポスト１３に対向する側（図６の矢印Ｂ１側）の外周部から光源用開口部１０ｃの内側に突出するように一体的に設けられている。また、光制御部材１４ａも光制御部材１４と同様に、円形形状に形成された光源用開口部１０ｃのパネルポスト１３に対向する側（図６の矢印Ｂ２側）の外周部から光源用開口部１０ｃの内側に突出するように一体的に設けられている。そして、図６に示すように、光制御部材１４は、正面側から見て（矢印Ｙ１方向側から見て）、幅Ｗ１、長さＬ１（図５参照）を有する長方形形状に形成されており、長方形形状の一方側を光源用開口部１０ｃの外周部と接続するように構成されている。また、光制御部材１４ａは、正面側から見て（矢印Ｙ１方向側から見て）、幅Ｗ２、長さＬ１（図５参照）を有する長方形形状に形成されており、長方形形状の一方側を光源用開口部１０ｃの外周部と接続するように構成されている。
【００２７】
そして、第１実施形態では、図６に示すように、光制御部材１４は、パネルポスト１３の対向面１３ｃの端部１３ｄ（矢印Ｘ１方向側の端部）とＬＥＤ７（光源用開口部１０ｃの中心近傍）とを結ぶ直線Ｌ２、および、パネルポスト１３の対向面１３ｃの端部１３ｅ（矢印Ｘ２方向側の端部）とＬＥＤ７（光源用開口部１０ｃの中心近傍）とを結ぶ直線Ｌ３により形成される領域Ｒ１を、横切るように形成されている。すなわち、光制御部材１４は、ＬＥＤ７から見たときのパネルポスト１３の外周と、ＬＥＤ７とを結ぶ領域Ｒ１を遮るように配置されている。なお、端部１３ｄおよび端部１３ｅは、本発明の「支持部材の外周」の一例である。
【００２８】
また、図６に示すように、光制御部材１４ａは、パネルポスト１３の対向面１３ｃおよび１３ｆの端部１３ｄとＬＥＤ７（光源用開口部１０ｃの中心近傍）とを結ぶ直線Ｌ４、および、パネルポスト１３の対向面１３ｃおよび１３ｆの端部１３ｇとＬＥＤ７（光源用開口部１０ｃの中心近傍）とを結ぶ直線Ｌ５により形成される領域Ｒ２を、横切るように形成されている。すなわち、光制御部材１４ａは、ＬＥＤ７から見たときのパネルポスト１３の外周と、ＬＥＤ７とを結ぶ領域Ｒ２を遮るように配置されている。なお、端部１３ｇは、本発明の「支持部材の外周」の一例である。
【００２９】
そして、図３および図６に示すように、液晶テレビジョン装置１００は、反射シート１０をＬＥＤ７および光源レンズ９にかぶせた際に、光制御部材１４と光源レンズ９とが接触して、光制御部材１４が拡散板１１側（矢印Ｙ１側）に変形して（折れ曲がって）突出するように構成されている。また、光制御部材１４ａも同様に、光制御部材１４ａと光源レンズ９とが接触して、光制御部材１４ａが拡散板１１側（矢印Ｙ１側）に変形して（折れ曲がって）突出するように構成されている。そして、図３に示すように、光制御部材１４が変形して突出することによって、光制御部材１４は、側面側（矢印Ｘ２側）から見て、ＬＥＤ７からパネルポスト１３の接触部１３ｂまでの直接光の光路（直線Ｌ６）を横切るように構成されている。また、光制御部材１４は、反射シート１０と一体的に形成されており、ＬＥＤ７から、パネルポスト１３と反射シート１０との交点Ｃまでの直接光の光路（直線Ｌ７）を横切るように構成されている。また、光制御部材１４は、光源レンズ９に接触するように配置されており、パネルポスト１３よりもＬＥＤ７に近い位置に配置されている。また、光制御部材１４ａも、光制御部材１４と同様のパネルポスト１３との配置関係を有するように構成されている。
【００３０】
また、第１実施形態では、図３に示すように、光制御部材１４（および光制御部材１４ａ）は、ＬＥＤ７からパネルポスト１３までの直接光の光路に配置されている。光制御部材１４は、光制御部材１４とＬＥＤ７との距離をｘ、光制御部材１４とパネルポスト１３との距離をｙとした場合、ｘ＜ｙの関係を充たす位置に配置されている。そして、反射シート１０、光制御部材１４および光制御部材１４ａは、光を反射するように構成されているので、ＬＥＤ７からパネルポスト１３に向けて発せられる光を、遮光するとともに、パネルポスト１３側とは異なる方向に反射するように構成されている。また、光制御部材１４および光制御部材１４ａは、ＬＥＤ７からの光を回折するように構成されている。これにより、ＬＥＤ７から光制御部材１４および光制御部材１４ａの端部近傍を通る直接光を、パネルポスト１３側とは異なる方向に回折するように構成されている。
【００３１】
第１実施形態では、以下のような効果を得ることができる。
【００３２】
第１実施形態では、上記のように、光制御部材１４を、遮光および回折する性質を持つように構成する。そして、光制御部材１４を、ＬＥＤ７からパネルポスト１３までの直接光の光路に配置して、パネルポスト１３への直接光を遮ることによって、ＬＥＤ７からパネルポスト１３への直接光の量が光制御部材１４および１４ａにより減少されるので、ＬＥＤ７からパネルポスト１３への直接光の量が減少される分、パネルポスト１３に遮られた光路の延長線上における表示部１および拡散板１１および偏光フィルタ１２上に生じる影が薄くなる。その結果、表示部１に生じる影が視認されるのを抑制することができる。これにより、パネルポスト１３をいずれの位置に配置しても、表示部１に生じる影が視認されるのを抑制することができるので、パネルポスト１３の配置の自由度を高めることができる。
【００３３】
また、第１実施形態では、上記のように、光制御部材１４を、ＬＥＤ７に対向する全てのパネルポスト１３に対して配置する。これにより、全てのパネルポスト１３に対して、ＬＥＤ７からの直接光に起因する表示部１および拡散板１１上での影を薄くすることができる。その結果、表示部１全体において、影が視認されるのを抑制することができる。
【００３４】
また、第１実施形態では、上記のように、パネルポスト１３は、ＬＥＤ７と対向する対向面１３ｃを含み、光制御部材１４を、前面側（矢印Ｙ１側）から見て、パネルポスト１３の対向面１３ｃの端部１３ｄとＬＥＤ７とを結ぶ直線Ｌ２、および、パネルポスト１３の対向面１３ｃの端部１３ｅとＬＥＤ７とを結ぶ直線Ｌ３により形成される領域Ｒ１を、横切るように配置する。これにより、光制御部材１４が直線Ｌ２および直線Ｌ３により形成される領域Ｒ１の内部に配置される場合、および、直線Ｌ２および直線Ｌ３の一方のみを横切るように配置される場合に比べて、ＬＥＤ７からパネルポスト１３の対向面１３ｃへの直接光の量がより減少されるので、表示部１および拡散板１１および偏光フィルタ１２上での影を、より薄くすることができる。その結果、表示部１に生じる影が視認されるのを、より抑制することができる。
【００３５】
また、第１実施形態では、上記のように、パネルポスト１３は、拡散板１１と接触する接触部１３ｂを含み、光制御部材１４を、側面視（図３参照）おいて、ＬＥＤ７から接触部１３ｂまでの直接光の光路（図３の直線Ｌ６）を横切るように配置する。これにより、ＬＥＤ７からパネルポスト１３の接触部１３ｂ近傍への直接光の量が減少するので、パネルポスト１３の接触部１３ｂ近傍に遮られた光路の延長線上における表示部１および拡散板１１および偏光フィルタ１２上に生じる影が薄くなる。その結果、パネルポスト１３の接触部１３ｂ近傍の表示部１に生じる影が視認されるのを抑制することができる。一般的に、パネルポスト１３の接触部１３ｂ近傍の表示部１に生じる影は視認されやすいので、本発明のように、パネルポスト１３の接触部１３ｂ近傍での影を表示部１上で視認されるのを抑制することによって、より効果的に、表示部１に生じる影が視認されるのを抑制することができる。
【００３６】
また、第１実施形態では、上記のように、拡散板１１の背面側（矢印Ｙ２方向側）に配置され、ＬＥＤ７から発せられた光を反射可能に構成された反射シート１０をさらに備え、パネルポスト１３は、反射シート１０から拡散板１１側に突出するように設けられており、光制御部材１４を、側面視（図３参照）において、パネルポスト１３と反射シート１０との交点Ｃと、直線Ｌ７を横切るように配置する。これにより、パネルポスト１３と反射シート１０との交点Ｃから拡散板１１側に延びるパネルポスト１３の部分にＬＥＤ７への直接光の量を少なくすることができるので、より確実に、表示部１に生じる影が視認されるのを抑制することができる。
【００３７】
また、第１実施形態では、上記のように、光制御部材１４を、光制御部材１４とＬＥＤ７との距離をｘ、光制御部材１４とパネルポスト１３との距離をｙとした場合、ｘ＜ｙの関係を充たす位置に配置する。これにより、光制御部材１４をｘ≧ｙの関係を充たす位置に配置する場合に比べて、光制御部材１４から拡散板１１までの距離が大きくなる。そして、光制御部材１４から拡散板１１までの距離が大きくなる分、他の光（たとえば、他のＬＥＤ７からの光）が光制御部材１４の影が生じる側に回り込むので、光が光制御部材１４に照射されることによって生じる影をさらに薄くすることができる。また、ＬＥＤ７からパネルポスト１３への直接光は、ＬＥＤ７から広がるように発せられるので、光制御部材１４がＬＥＤ７よりもパネルポスト１３に近い位置に配置されている場合に比べて、光制御部材１４とＬＥＤ７との距離が小さい分、光制御部材１４の大きさが大きくなるのを抑制することができる。
【００３８】
また、第１実施形態では、上記のように、拡散板１１の背面側（図３の矢印Ｙ２側）に配置され、ＬＥＤ７からの光を反射可能に構成された反射シート１０をさらに備え、光制御部材１４を、反射シート１０から拡散板１１側（図３の矢印Ｙ１側）に突出するように反射シート１０と一体的に設けられ、ＬＥＤ７からパネルポスト１３に向けて発せられる光を、遮光して反射するように構成する。これにより、光制御部材１４と反射シート１０とを別個に設ける場合と異なり、部品点数が増加するのを抑制することができるので、光制御部材１４を設けたとしても、液晶テレビジョン装置１００の構成が複雑化するのを抑制することができる。
【００３９】
また、第１実施形態では、上記のように、反射シート１０は、ＬＥＤ７の配置位置に対応する位置に光源用開口部１０ｃが設けられており、光制御部材１４を、反射シート１０の光源用開口部１０ｃから突出するように設ける。これにより、反射シート１０をＬＥＤ７および光源レンズ９にかぶせた際に、光源用開口部１０ｃに設けられた光制御部材１４と光源レンズ９とが接触して、光制御部材１４が拡散板１１側に突出するので、容易に、反射シート１０により光制御部材１４を構成することができる。
【００４０】
（第２実施形態）
次に、図７および図８を参照して、第２実施形態による液晶テレビジョン装置１０１の構成について説明する。第２実施形態では、光制御部材と反射シートとが一体的に形成されていた第１実施形態による液晶テレビジョン装置１００と異なり、光制御部材と反射シートとは、別個に設けられている。
【００４１】
図７に示すように、液晶テレビジョン装置１０１は、光制御部材１５と、リアフレーム１６と、反射シート１７と、ヒートシンク６ａとを含む。ここで、第２実施形態では、光制御部材１５は、拡散材（たとえば、酸化チタン等）を含み、光を拡散可能に構成されている。また、光制御部材１５は、取付部１５ａを含み、リアフレーム１６は、光制御部材１５の取付部１５ａを嵌めて固定可能に設けられた開口部１６ａを含む。そして、光制御部材１５は、取付部１５ａが開口部１６ａに嵌められることによって、リアフレーム１６に固定されるとともに、拡散板１１側（矢印Ｙ１側）に突出するように構成されている。また、反射シート１７およびヒートシンク６ａは、それぞれ光制御部材用開口部１７ａおよび光制御部材用開口部６ｂが設けられており、リアフレーム１６に固定され拡散板１１側に突出するように配置されている光制御部材１５を貫通可能に構成されている。
【００４２】
また、図８に示すように、光制御部材１５は、光制御部材本体部１５ｂと、光制御部材ベース部１５ｃと、開口部１５ｄとを含む。そして、光制御部材本体部１５ｂは、反射シート１７から拡散板１１側に突出するように構成されており、幅Ｗ３、高さｈ１（光制御部材ベース部１５ｃの上面からの高さ）、厚みｔ（図７参照）の平板形状に形成されている。そして、平板形状の光制御部材本体部１５ｂの幅広の側面（幅Ｗ３の側面）をＬＥＤ７に対向するように配置されている。また、第１実施形態による光制御部材１４と同様に、光制御部材１５は、ＬＥＤ７からパネルポスト１３までの直接光の光路に配置されている。すなわち、直線Ｌ６および直線Ｌ７を横切るように配置されている。また、光制御部材ベース部１５ｃは、リアフレーム１６から拡散板１１側に向かって高さｈ３を有し、リアフレーム１６と接触している。
【００４３】
そして、図８に示すように、開口部１５ｄは、光制御部材本体部１５ｂの幅広の側面の一方側から他方側まで貫通するように、幅Ｗ４、高さｈ２（光制御部材ベース部１５ｃの上面からの高さ）の長方形形状の開口を有する。また、開口部１５ｄは、直線Ｌ７と光制御部材１５とが交わる位置Ｄ（図７参照）よりも後面側（矢印Ｙ２方向側）の光制御部材１５に設けられている。また、第２実施形態による液晶テレビジョン装置１０１のその他の構成は、第１実施形態における液晶テレビジョン装置１００と同様である。
【００４４】
第２実施形態では、以下のような効果を得ることができる。
【００４５】
第２実施形態では、上記のように、光制御部材１５と反射シート１７とを、別個に設けるとともに、光制御部材１５を、拡散材（たとえば、酸化チタン等）により光を拡散可能に構成する。これにより、光制御部材１５と他の部品と一体的に形成する場合と異なり、光制御部材１５に含める拡散材の量を調整することができるので、より正確に、ＬＥＤ７からパネルポスト１３への直接光の量を調整することができる。その結果、さらに効果的に表示部１に生じる影が視認されるのを抑制することができる。
【００４６】
また、第２実施形態では、上記のように、光制御部材１５に幅広の側面の一方側から他方側まで貫通するように長方形形状の開口を有する開口部１５ｄを設けるとともに、開口部１５ｄを、直線Ｌ７と光制御部材１５とが交わる位置Ｄ（図７参照）よりも後面側（矢印Ｙ２方向側）の光制御部材１５に設ける。これにより、ＬＥＤ７から位置Ｄ（図７参照）よりも後面側（矢印Ｙ２方向側）を通ってパネルポスト１３側に向かう光は、パネルポスト１３に直接照射されずに反射シート１７に照射されるので、表示部１に生じる影が視認されるのを抑制しながら、光制御部材１５に照射されることによる光の損失を減少させることができる。また、第２実施形態による液晶ディスプレイ装置１０１のその他の効果は、第１実施形態における液晶ディスプレイ装置１００と同様である。
【００４７】
（第３実施形態）
次に、図９を参照して、第３実施形態による液晶ディスプレイ装置１０２の構成について説明する。第３実施形態では、光制御部材がレンズ形状に形成されているとともに、ＬＥＤからパネルポストに向けて発せられる光を屈折するように構成されている。
【００４８】
図９に示すように、液晶ディスプレイ装置１０２は、光制御部材１８と、リアフレーム１６と、反射シート１７と、ヒートシンク６ａとを含む。なお、リアフレーム１６と、反射シート１７と、ヒートシンク６ａとは、第２実施形態による液晶ディスプレイ装置１０１によるリアフレーム１６と、反射シート１７と、ヒートシンク６ａと同一形状に構成されている。また、光制御部材１８は、取付部１５ａが開口部１６ａに嵌められることによって、リアフレーム１６に固定されるとともに、拡散板１１側（矢印Ｙ１側）に突出するように構成されている。また、反射シート１７およびヒートシンク６ａは、それぞれ光制御部材用開口部１７ａおよび光制御部材用開口部６ｂが設けられており、リアフレーム１６に固定され拡散板１１側に突出するように配置されている光制御部材１８を貫通可能に構成されている。
【００４９】
ここで、第３実施形態では、図９に示すように、光制御部材１８は、反射シート１７から拡散板１１側に突出する部分は、凸レンズ形状に形成されており、第１実施形態による光制御部材１４と同様に、光制御部材１８は、ＬＥＤ７からパネルポスト１３までの直接光の光路に配置されている。すなわち、直線Ｌ６および直線Ｌ７を横切るように配置されている。そして、図９に示すように、ＬＥＤ７から発せられた光は、光制御部材１８に入射した後、屈折され、光制御部材１８から距離Ｅ離れた位置に集光するように構成されている。そして、光制御部材１８が配置されていない場合に、光制御部材１８は、ＬＥＤ７と接触部１３ｂとを結ぶ直線Ｌ６と、ＬＥＤ７と交点Ｃとを結ぶ直線Ｌ７とにより形成される領域を通るＬＥＤ７からの光を透過させるとともに、屈折させることにより、ＬＥＤ７からの光路を変更するように構成されている。そして、ＬＥＤ７からの光は、ＬＥＤ７と接触部１３ｂとを結ぶ直線Ｌ６と、ＬＥＤ７と交点Ｃとを結ぶ直線Ｌ７とにより形成される領域よりも広い範囲（直線Ｌ８と直線Ｌ９とにより形成される領域）に照射されるように光路が変更される。これにより、ＬＥＤ７からパネルポスト１３への直接光の量を減少させることが可能に構成されている。また、第３実施形態による液晶テレビジョン装置１０２のその他の構成は、第１実施形態における液晶テレビジョン装置１００と同様である。
【００５０】
第３実施形態では、以下のような効果を得ることができる。
【００５１】
第３実施形態では、上記のように、光制御部材１８を、レンズ形状に形成するとともに、ＬＥＤ７からパネルポスト１３への直接光を透過するとともに、屈折するように構成する。これにより、ＬＥＤ７からパネルポスト１３への直接光の量を少なくすることができる。その結果、パネルポスト１３に遮られた光路の延長線上における表示部１および拡散板１１上に生じる影が薄くなるので、表示部１に生じる影が視認されるのを抑制することができる。また、光制御部材１８が光を吸収する場合と比べて、光制御部材１８に照射された光を屈折させるので、ＬＥＤ７から発せられた光をより多く表示部１に照射することができる。また、第３実施形態による液晶テレビジョン装置１０２のその他の効果は、第１実施形態における液晶テレビジョン装置１００と同様である。
【００５２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５３】
たとえば、上記第１〜第３実施形態では、本発明の表示装置として、液晶テレビジョン装置を用いる例を示したが、本発明はこれに限らない。本発明は、表示装置として液晶テレビジョン装置以外を用いてもよい。たとえば、ＰＣ（Ｐｅｒｓｏｎａｌ  Ｃｏｍｐｕｔｅｒ）用の表示装置などの一般的な表示装置に用いてもよい。
【００５４】
また、上記第１実施形態では、本発明の光制御部材を、前面側から見て、長方形形状に形成する例を示したが、本発明はこれに限られない。本発明は、光制御部材を長方形形状以外の形状に形成してもよい。たとえば、光制御部材を扇型形状に形成してもよい。
【００５５】
また、上記第１実施形態では、本発明の光制御部材を、反射シートが光源レンズにかぶせられる際に、光制御部材と反射シートとが接触して変形することによって、光制御部材が拡散板側に突出する例を示したが、本発明はこれに限られない。本発明は、光制御部材を予め拡散板側に突出するように形成してもよい。
【００５６】
また、上記第２実施形態では、本発明の光制御部材を樹脂製の材料により構成する例を示したが、本発明はこれに限られない。本発明は、光制御部材を樹脂製以外の材料により構成してもよい。たとえば、光制御部材を金属製の材料により構成してもよいし、ガラス製の材料により構成してもよい。
【００５７】
また、上記第２実施形態では、本発明の光制御部材を平板形状に形成する例を示したが、本発明はこれに限られない。本発明は、光制御部材を平板形状以外の形状により形成してもよい。たとえば、光制御部材を円柱形状に形成してもよい。
【００５８】
また、上記第２実施形態では、本発明の光制御部材を、ＬＥＤからパネルポストに照射される光を拡散させるように構成する例を示したが、本発明はこれに限られない。たとえば、光制御部材を黒色に着色して、ＬＥＤからパネルポストへの直接光を吸収して、遮光するように構成してもよい。
【００５９】
また、上記第３実施形態では、本発明の光制御部材を、凸レンズ形状を有するように形成する例を示したが、本発明はこれに限られない。本発明は、光制御部材を凸レンズ形状以外の形状を有するように形成してもよい。たとえば、光制御部材を凹レンズ形状を有するように形成して、ＬＥＤからパネルポストへの直接光の量を減少させるように構成してもよい。
【００６０】
また、上記第３実施形態では、本発明の光制御部材を、凸レンズ形状を有するように形成して、ＬＥＤからパネルポストへの直接光を屈折させるように構成する例を示したが、本発明はこれに限られない。たとえば、凸レンズ形状を有する光制御部材にさらに拡散材を含ませる、または、光制御部材の表面をシボ加工することによって、ＬＥＤからパネルポストへの直接光を屈折させるとともに、拡散させて、ＬＥＤからパネルポストへの直接光の量を減少させるように構成してもよい。
【００６１】
また、上記第１〜第３実施形態では、本発明のパネルポストを三角柱形状に形成する例を示したが、本発明はこれに限られない。本発明は、パネルポストを三角柱形状以外の形状に形成してもよい。たとえば、パネルポストを円柱形状に形成してもよいし、平板形状に形成してもよい。
【００６２】
また、上記第１〜第３実施形態では、本発明の光源として、ＬＥＤを用いる例を示したが、本発明はこれに限られない。本発明は、光源として、ＬＥＤ以外の光源を用いてもよい。たとえば、光源として冷陰極蛍光管などの線光源を用いてもよい。
【００６３】
また、上記第１〜第３実施形態では、本発明の光源の配置位置として、ＬＥＤを一列に間隔を隔てて配置する例を示したが、本発明はこれに限られない。本発明は、光源の配置位置として、ＬＥＤを１列以外に配置するように構成してもよい。たとえば、図１０および図１１に示すように、ＬＥＤを２列に配置するように構成してもよい。
【００６４】
ここで、変形例による液晶テレビジョン装置１０３は、図１０および図１１に示すように、反射シート２０と、リアフレーム２１と、カバー部材２２と、パネルポスト２３とを含む。そして、図１０に示すように、反射シート２０は、左右方向（Ｘ方向）を列として２列に配置された（１列に８個のＬＥＤ７を所定の間隔を隔てて配置）ＬＥＤ７および光源レンズ９に対応した位置に光源用開口部２０ａが設けられている。また、反射シート２０の中央近傍の光源用開口部２０ａ（１６個の光源用開口部２０ａのうちの８個）には、光制御部材１４が形成されている。なお、光制御部材１４は、第１実施形態による光制御部材１４と同一の形状を有するように構成されている。
【００６５】
そして、図１０および図１１に示すように、リアフレーム２１には、２つのヒートシンク６が鉛直方向（Ｚ方向）に並んで配置されているとともに、２つのヒートシンク６のそれぞれの上面には、基板８が配置されている。また、基板８の上面のそれぞれに８つのＬＥＤ７が配置されている。そして、２列のＬＥＤ７が配置されている位置の間（列と列との間）には、４個の円柱形状を有するパネルポスト２３が１列に所定の間隔を隔てて配置されている。
【００６６】
また、図１１に示すように、また、パネルポスト２３は、パネルポスト２３の下部に、固定部２３ａが設けられており、リアフレーム２１に固定されている。固定部２３ａの形状は、第１実施形態によるパネルポスト１３の固定部１３ａと同一の形状に形成されている。そして、パネルポスト２３は、拡散板１１と接触する接触部２３ｂを含み、パネルポスト２３に対向する２つの光制御部材１４は、ＬＥＤ７から接触部２３ｂまでの直接光の光路（直線Ｌ１０および直線Ｌ１１）をそれぞれ横切るように配置されている。これにより、ＬＥＤ７からパネルポスト２３への直接光の量を減少させることが可能に構成されている。
【符号の説明】
【００６７】
１  表示部
７  ＬＥＤ（光源）
９  光源レンズ（光源）
１１  拡散板（光学シート）
１２  偏光フィルム（光学シート）
１３、２３  パネルポスト（支持部材）
１３ｂ、２３ｂ  接触部（支持部材の外周）
１３ｄ、１３ｅ、１３ｇ  端部（支持部材の外周）
１４、１４ａ、１５、１８  光制御部材
１００〜１０３  液晶テレビジョン装置（表示装置）
【図１】
2015203724.tif 000003
【図２】
2015203724.tif 000004
【図３】
2015203724.tif 000005
【図４】
2015203724.tif 000006
【図５】
2015203724.tif 000007
【図６】
2015203724.tif 000008
【図７】
2015203724.tif 000009
【図８】
2015203724.tif 000010
【図９】
2015203724.tif 000011
【図１０】
2015203724.tif 000012
【図１１】
2015203724.tif 000013